(57)【特許請求の範囲】
【請求項１】
端末であって、
前記端末は、表示パネルと、プロセッサとを含み、
前記表示パネルは、
複数のサブ画素を含み、前記複数のサブ画素間の間隙に貫通孔を有する画素アレイと、
前記貫通孔から入射した光を検出する光電検出アレイを含む光電検出ユニットと、を含み、
前記プロセッサは、前記複数の対象サブ画素が発光しない期間を決定し、前記光電検出ユニットが前記期間内に、前記光電検出アレイにより、前記貫通孔を通過して入射した光を検出するように構成され、
前記端末が明るい画面状態にあるとき、前記複数のサブ画素は、連続した複数の時間周期のうちいずれかの時間周期内に順次に発光し、
前記プロセッサが、前記複数の対象サブ画素が発光しない期間を決定することは、
前記端末が明るい画面状態にあるとき、前記複数の時間周期のうちいずれかの時間周期における、前記複数の対象サブ画素を発光させる制御を開始していない期間を、前記複数の対象サブ画素が発光しない期間として決定することを含む、
ことを特徴とする端末。
【請求項２】
前記画素アレイが位置する平面における前記光電検出アレイの正投影の少なくとも一部は、前記画素アレイ内に入る、
ことを特徴とする請求項１に記載の端末。
【請求項３】
前記貫通孔内に光透過性材料が設けられている、
ことを特徴とする請求項１に記載の端末。
【請求項４】
前記複数のサブ画素は、前記画素アレイが位置する平面における前記光電検出アレイの正投影内のサブ画素である、
ことを特徴とする請求項１〜３のいずれかに記載の端末。
【請求項５】
前記光電検出ユニットは、光電検出器の検出回路の一部を形成するように構成される、
ことを特徴とする請求項１に記載の端末。
【請求項６】
請求項１〜５のいずれかに記載の端末に使用される光電検出方法であって、前記方法は、
前記複数のサブ画素から、前記画素アレイが位置する平面における前記光電検出アレイの正投影内に位置するサブ画素である複数の対象サブ画素を決定するステップと、
前記複数の対象サブ画素が発光しない期間を決定するステップと、
前記期間内に、前記光電検出アレイにより、前記貫通孔を通過して入射した光を検出するステップと、を含み、
前記端末が明るい画面状態にあるとき、前記複数のサブ画素は、連続した複数の時間周期のうちいずれかの時間周期内に順次に発光し、
前記複数の対象サブ画素が発光しない期間を決定するステップは、
前記端末が明るい画面状態にあるとき、前記複数の時間周期のうちいずれかの時間周期における、前記複数の対象サブ画素を発光させる制御を開始していない期間を、前記複数の対象サブ画素が発光しない期間として決定するステップを含む、
ことを特徴とする光電検出方法。
【請求項７】
端末に使用される光電検出装置であって、
前記端末は、表示パネルを含み、
前記表示パネルは、
複数のサブ画素を含み、前記複数のサブ画素間の間隙に貫通孔を有する画素アレイと、
前記貫通孔から入射した光を検出する光電検出アレイを含む光電検出ユニットと、を含み、
前記装置は、
前記複数のサブ画素から、前記画素アレイが位置する平面における前記光電検出アレイの正投影内に位置するサブ画素である複数の対象サブ画素を決定するための第１の決定モジュールと、
前記複数の対象サブ画素が発光しない期間を決定するための第２の決定モジュールと、
前記期間内に、前記光電検出アレイにより、前記貫通孔を通過して入射した光を検出するための検出モジュールと、を含み、
前記端末が明るい画面状態にあるとき、前記複数のサブ画素は、連続した複数の時間周期のうちいずれかの時間周期内に順次に発光し、
前記第２の決定モジュールは、前記端末が明るい画面状態にあるとき、前記複数の時間周期のうちいずれかの時間周期における、前記複数の対象サブ画素を発光させる制御を開始していない期間を、前記複数の対象サブ画素が発光しない期間として決定するための第２の決定サブモジュールを含む、
ことを特徴とする光電検出装置。
【請求項８】
端末に使用される光電検出装置であって、
前記端末は、表示パネルを含み、
前記表示パネルは、
複数のサブ画素を含み、前記複数のサブ画素間の間隙に貫通孔を有する画素アレイと、
前記貫通孔から入射した光を検出する光電検出アレイを含む光電検出ユニットと、を含み、
前記装置は、
プロセッサと、
プロセッサが実行可能な命令を記憶するためのメモリと、を含み、
ここで、前記プロセッサは、請求項６に記載の方法のステップを実行するように構成される、
ことを特徴とする光電検出装置。
【請求項９】
命令が記憶されているコンピュータ読み取り可能な記憶媒体であって、
前記命令がプロセッサによって実行されるとき、請求項６に記載の方法のステップが実現される、
ことを特徴とするコンピュータ読み取り可能な記憶媒体。
【発明の詳細な説明】
【技術分野】
【０００１】
本開示は、電子技術分野に関し、特に、表示パネル、光電検出方法、装置およびコンピュータ読み取り可能な記憶媒体に関する。
【背景技術】
【０００２】
電子技術の急速な発展に伴い、携帯電話やタブレットなどの端末の機能がますます強力になってきている。周囲の外光をリアルタイムに感知して端末のパネルにおける表示領域の輝度を調整することができるために、端末には、周囲の外光を検出する光電検出器が設けられることが多い。
【０００３】
現在、図１に示すように、端末は、一般に、パネルの表示領域以外の一部領域に穴が設けられ、その穴の下方に光電検出器が配置されている。周囲の外光は、当該穴を通過して端末に入射した後、当該光電検出器によって検出することができる。
【発明の概要】
【発明が解決しようとする課題】
【０００４】
従来技術おける課題を克服するために、本開示は、表示パネル、光電検出方法、装置およびコンピュータ読み取り可能な記憶媒体を提供する。
【課題を解決するための手段】
【０００５】
本開示の実施例の第１の側面によれば、表示パネルが提供され、前記表示パネルは、複数のサブ画素を含み、前記複数のサブ画素間の間隙に貫通孔を有する画素アレイと、前記貫通孔から入射した光を検出する光電検出アレイを含む光電検出ユニットと、を含む。
【０００６】
好ましくは、前記画素アレイが位置する平面における前記光電検出アレイの正投影の少なくとも一部は、前記画素アレイ内に入る。
【０００７】
好ましくは、前記貫通孔内に光透過性材料が設けられている。
【０００８】
好ましくは、前記複数のサブ画素は、前記画素アレイが位置する平面における前記光電検出アレイの正投影内のサブ画素である。
【０００９】
好ましくは、前記光電検出ユニットは、光電検出器の検出回路の一部を形成するように構成される。
【００１０】
本開示の実施例の第２の側面によれば、上記第１の側面に記載された表示パネルを搭載した端末に使用される光電検出方法が提供され、前記方法は、前記複数のサブ画素から、前記画素アレイが位置する平面における前記光電検出アレイの正投影内に位置するサブ画素である複数の対象サブ画素を決定するステップと、前記複数の対象サブ画素が発光しない期間を決定するステップと、前記期間内に、前記光電検出アレイにより、前記貫通孔を通過して入射した光を検出するステップと、を含む。
【００１１】
好ましくは、前記端末が明るい画面状態にあるとき、前記複数のサブ画素は、連続した複数の時間周期のうち少なくとも１つの第１の時間周期において発光せず、前記複数のサブ画素は、前記複数の時間周期のうち前記少なくとも１つの第１の時間周期以外の時間周期において発光し、前記複数の対象サブ画素が発光しない期間を決定するステップは、前記端末が明るい画面状態にあるとき、前記複数の時間周期のうち少なくとも１つの第１の時間周期を、前記複数の対象サブ画素が発光しない期間として決定するステップを含む。
【００１２】
好ましくは、前記端末が明るい画面状態にあるとき、前記複数のサブ画素は、連続した複数の時間周期のうちいずれかの時間周期内に順次に発光し、前記複数の対象サブ画素が発光しない期間を決定するステップは、前記端末が明るい画面状態にあるとき、前記複数の時間周期のうちいずれかの時間周期における、前記複数の対象サブ画素を発光させる制御を開始していない期間を、前記複数の対象サブ画素が発光しない期間として決定するステップを含む。
【００１３】
好ましくは、前記端末が明るい画面状態にあるとき、前記複数のサブ画素は、連続した複数の時間周期のうち少なくとも１つの第２の時間周期において発光し、前記複数の対象サブ画素が発光しない期間を決定するステップは、前記端末が明るい画面状態にあるとき、前記複数の時間周期のうち少なくとも１つの第２の時間周期における、隣接する２つの第２の時間周期の間の期間を、前記複数の対象サブ画素が発光しない期間として決定するステップを含む。
【００１４】
本開示の実施例の第３の側面によれば、上記第１の側面に記載された表示パネルを搭載した端末に使用される光電検出装置が提供され、前記装置は、前記複数のサブ画素から、前記画素アレイが位置する平面における前記光電検出アレイの正投影内に位置するサブ画素である複数の対象サブ画素を決定するための第１の決定モジュールと、前記複数の対象サブ画素が発光しない期間を決定するための第２の決定モジュールと、前記期間内に、前記光電検出アレイにより、前記貫通孔を通過して入射した光を検出するための検出モジュールと、を含む。
【００１５】
好ましくは、前記端末が明るい画面状態にあるとき、前記複数のサブ画素は、連続した複数の時間周期のうち少なくとも１つの第１の時間周期において発光せず、前記複数のサブ画素は、前記複数の時間周期のうち前記少なくとも１つの第１の時間周期以外の時間周期において発光し、前記第２の決定モジュールは、前記端末が明るい画面状態にあるとき、前記複数の時間周期のうち少なくとも１つの第１の時間周期を、前記複数の対象サブ画素が発光しない期間として決定するための第１の決定サブモジュールを含む。
【００１６】
好ましくは、前記端末が明るい画面状態にあるとき、前記複数のサブ画素は、連続した複数の時間周期のうちいずれかの時間周期内に順次に発光し、前記第２の決定モジュールは、前記端末が明るい画面状態にあるとき、前記複数の時間周期のうちいずれかの時間周期における、前記複数の対象サブ画素を発光させる制御を開始していない期間を、前記複数の対象サブ画素が発光しない期間として決定するための第２の決定サブモジュールを含む。
【００１７】
好ましくは、前記端末が明るい画面状態にあるとき、前記複数のサブ画素は、連続した複数の時間周期のうち少なくとも１つの第２の時間周期において発光し、前記第２の決定モジュールは、前記端末が明るい画面状態にあるとき、前記複数の時間周期のうち少なくとも１つの第２の時間周期における、隣接する２つの第２の時間周期の間の期間を、前記複数の対象サブ画素が発光しない期間として決定するための第３の決定サブモジュールを含む。
【００１８】
本開示の実施例の第４の側面によれば、上記第１の側面に記載された表示パネルを搭載した端末に使用される光電検出装置が提供され、前記装置は、プロセッサとプロセッサが実行可能な命令を記憶するためのメモリと、を含みここで、前記プロセッサは、上記第２の側面に記載された方法のステップを実行するように構成される。
【００１９】
本開示の実施例の第５の側面によれば、命令が記憶されているコンピュータ読み取り可能な記憶媒体が提供され、前記命令がプロセッサによって実行されるとき、上記第２の側面に記載された方法のステップが実現される。
【発明の効果】
【００２０】
本開示の実施形態によって提供される技術的解決策は、以下の有益な効果を含むことができる。本発明の実施例において、表示パネルは、画素アレイと光電検出ユニットとを含み、画素アレイに含まれた複数のサブ画素間の間隙に貫通孔を有し、光電検出ユニットに含まれた光電検出アレイが、当該貫通孔を通過して入射した光を検出する。当該表示パネルを搭載した端末が光電検出を行う場合、当該表示パネルにおける、表示領域以外の一部領域に特に穴を設ける必要はなく、当該表示パネルにおける光電検出アレイにより、直接に光電検出を行うことができ、これにより、穴が当該表示パネルにおける余分なスペースを占有することを回避し、当該表示パネルにおける表示領域の占有面積の制限を回避することができ、端末の画面比率を向上させ、端末の表示性能を向上させ、端末の美しさを向上させることができる。
【００２１】
なお、上記一般的な説明及び以下の詳細な説明は、単に例示及び解釈するものであり、本開示を限定するものではない。
【図面の簡単な説明】
【００２２】
ここの図面は、本明細書に組み込まれて本明細書の一部を構成し、本開示に適する実施例を示しており、明細書と共に、本開示の原理を説明するに用いられる。
【図１】例示的な一実施例に係る第１の端末の概略構成図である。
【図２Ａ】例示的な一実施例に係る表示パネルの概略構成図である。
【図２Ｂ】例示的な一実施例に係る画素アレイの概略構成図である。
【図２Ｃ】例示的な一実施例に係る光電検出ユニットの概略構成図である。
【図２Ｄ】例示的な一実施例に係る光が貫通孔を通過する概略構成図である。
【図２Ｅ】例示的な一実施例に係る他の表示パネルの概略構成図である。
【図３】例示的な一実施例に係る光電検出方法のフローチャートである。
【図４Ａ】例示的な一実施例に係る他の光電検出方法のフローチャートである。
【図４Ｂ】例示的な一実施例に係る第２のタイプの端末の概略構成図である。
【図４Ｃ】例示的な一実施例に係る第３のタイプの端末の概略構成図である。
【図５Ａ】例示的な一実施例に係る光電検出装置のブロック図である。
【図５Ｂ】例示的な一実施例に係る第１のタイプの第２の決定モジュールのブロック図である。
【図５Ｃ】例示的な一実施例に係る第２のタイプの第２の決定モジュールのブロック図である。
【図５Ｄ】例示的な一実施例に係る第３のタイプの第２の決定モジュールのブロック図である。
【図６】例示的な一実施例に係る他の光電検出装置のブロック図である。
【発明を実施するための形態】
【００２３】
以下、例示的な実施例を詳細に説明し、その例が図面に示される。以下の説明が図面に関するものである場合、特に明記しない限り、異なる図面における同一数字は、同一または類似の要素を指す。以下の例示的な実施例に記載される実施形態は、本発明と一致するすべての実施形態を表すものではない。むしろ、それらは、添付の特許請求の範囲に詳述される本発明の一部と一致する装置および方法の例に過ぎない。
【００２４】
理解を容易にするために、本開示の実施例を詳細に説明する前に、まず本開示の実施例に係る適用シーンを説明する。
【００２５】
電子技術の急速な発展に伴い、携帯電話やタブレットなどの端末の機能がますます強力になってきている。周囲の外光をリアルタイムで感知して端末のパネルにおける表示領域の輝度を調整することができるために、端末には、周囲の外光を検出する光電検出器が設けられることが多い。現在、図１に示すように、端末は、一般に、パネルの表示領域以外の一部領域に穴が設けられ、その穴の下方に光電検出器が配置されている。周囲の外光は、当該孔を通過して端末に入射した後、当該光電検出器によって検出することができる。当該穴が当該パネル上で一定の面積を占有するため、当該パネル上での表示領域の占有面積が制限され、端末の画面比率が低下し、端末の全画面傾向への発展が妨げられ、端末の美しさが影響される。このため、本開示の実施例は、端末の画面比率を大きくし、端末の表示性能を向上させ、端末の美しさを向上させる表示パネルを提供する。
【００２６】
図２Ａは、例示的な一実施例に係る表示パネルの概略構成図である。図２Ａを参照すると、当該表示パネルは、画素アレイ１と光電検出ユニット２とを含む。ここで、図２Ｂを参照すると、画素アレイ１は、複数のサブ画素アレイ１１を含み、当該複数のサブ画素アレイ１１間の間隙に貫通孔１２を有する。ここで、図２Ｃを参照すると、光電検出ユニット２は、光電検出アレイ２１を含む。ここで、図２Ｄを参照すると、光電検出アレイ２１は、貫通孔１２を通過して入射した光を検出する。
【００２７】
なお、画素アレイ１は、画面を表示するためのものであり、画素アレイ１は、複数の画素を含み、各画素は、異なる色の光を発することができる複数のサブ画素によって構成される。例えば、各画素は、１つの赤色光を発光可能なＲサブ画素と、１つの緑色光を発光可能なＧサブ画素と、１つの青色光を発光可能なＢサブ画素とによって構成することができる。
【００２８】
また、画素アレイ１に含まれた複数のサブ画素１１における各隣接する２つのサブ画素１１の間に隙間が存在し、当該隙間には貫通孔１２が設けられ、貫通孔１２は、当該表示パネルの外部の光を透過させることができる。実際の使用において、貫通孔１２は、光学的微小孔であってもよく、当該光学的微小孔とは、光を透過させることができ、人間の目には見えない微小な穴である。また、貫通孔１２内に透光性材料がさらに設けられてもよく、つまり、透光性材料を用いて貫通孔１２を充填し、当該表示パネルの製造中に他の材料によって貫通孔１２が塞がれることを回避する。光透過性材料とは、光が透過可能な材料を指し、例えば、光透過性材料は、光ファイバ材料などであってもよい。
【００２９】
なお、光電検出ユニット２は、光電検出アレイ２１に照射された光を検出するためのものである。当該表示パネルの外部の光は、貫通孔１２を通過して当該表示パネルに入射した後、光電検出アレイ２１によって検出されることができる。
【００３０】
また、当該表示パネルが正常に置かれている場合、画素アレイ１は、当該表示パネルにおける上方の領域に位置することができ、光電検出アレイ２１は、当該表示パネルにおける下方の領域に位置することができ、当該表示パネルの外部の光が貫通孔１２を通過できることが確保されればよい。
【００３１】
また、当該表示パネルは、ＯＬＥＤ（Ｏｒｇａｎｉｃ  Ｌｉｇｈｔ−Ｅｍｉｔｔｉｎｇ  Ｄｉｏｄｅ，有機発光ダイオード）パネルであってもよい。ＯＬＥＤパネルにおける画素アレイが自ら発光することができるため、発した光は、そのままＯＬＥＤパネルから出射することができ、内へ光電検出アレイ２１に照射することはなく、当該光電検出ユニット２の外光検出への影響が小さい。
【００３２】
当該表示パネルを搭載した端末が光電検出を行う場合、当該表示パネルにおける、表示領域以外の一部領域に特に穴を設ける必要はなく、当該表示パネルにおける光電検出アレイ２１により、直接に光電検出を行うことができ、これにより、穴が当該表示パネルにおける余分なスペースを占有することを回避し、当該表示パネルにおける表示領域の占有面積の制限を回避することができ、端末の画面比率を向上させ、端末の表示性能を向上させ、端末の美しさを向上させることができる。
【００３３】
なお、光電検出ユニット２は、光電検出器の検出回路の一部を形成するように構成される。光電検出器は、光を検出するためのものであり、この場合、光電検出ユニット２１は、光電検出アレイ２１により、周囲の外光を検出することができる。
【００３４】
ここで、図２Ｅを参照すると、画素アレイ１が位置する平面における光電検出アレイ２１の正投影の少なくとも一部は、画素アレイ１内に位置する。
【００３５】
なお、画素アレイ１が位置する平面における光電検出アレイ２１の正投影の一部又は全部は、画素アレイ１内に位置することができ、この場合、光電検出アレイ２１と画素アレイ１とのそれぞれが、当該表示パネルにおける同一領域に位置することができる。画素アレイ１が、表示パネルにおける、画面を表示するための表示領域に位置するため、光電検出アレイ２１は、当該表示パネルにおける表示領域に位置することもでき、したがって、光検出アレイ２１が当該表示パネルにおける表示領域以外の一部領域を占有することを効果的に回避することができ、これにより、当該表示パネル上での表示領域の占有面積をさらに大きくし、画面比率を大きくし、表示性能を向上させることができる。
【００３６】
ここで、複数のサブ画素１１は、画素アレイ１１が位置する平面における光電検出アレイ２１の正投影内のサブ画素である。
【００３７】
なお、貫通孔１２を設けることは、光が当該表示パネルを通過して光電検出アレイ２１によって検出されることができるようにするためであり、画素アレイ１１が位置する平面における光電検出アレイ２１の正投影内のサブ画素１１間の隙間に貫通孔を設ける必要がある。つまり、複数のサブ画素１１は、画素アレイ１が位置する平面における光電検出アレイ２１の正投影内のサブ画素１１である。
【００３８】
本発明の実施例において、表示パネルは、画素アレイと光電検出ユニットとを含み、画素アレイに含まれた複数のサブ画素間の間隙に貫通孔を有し、光電検出ユニットに含まれた光電検出アレイが、当該貫通孔を通過して入射した光を検出する。当該表示パネルを搭載した端末が光電検出を行う場合、当該表示パネルにおける、表示領域以外の一部領域に特に穴を設ける必要はなく、当該表示パネルにおける光電検出アレイにより、直接に光電検出を行うことができ、これにより、穴が当該表示パネルにおける余分なスペースを占有することを回避し、当該表示パネルにおける表示領域の占有面積の制限を回避することができ、端末の画面比率を向上させ、端末の表示性能を向上させ、端末の美しさを向上させることができる。
【００３９】
次に、図面を参照しながら、本開示の実施例により提供される光電検出方法を詳細に説明する。
【００４０】
図３は、例示的な一実施例に係る光電検出方法のフローチャートである。図３に示すように、当該方法は、上記図２Ａ〜図２Ｅにおけるいずれかの表示パネルを搭載した端末に使用され、当該方法は、複数のサブ画素から、画素アレイが位置する平面における光電検出アレイの正投影内に位置するサブ画素である複数の対象サブ画素を決定するステップ３０１と、複数の対象サブ画素が発光しない期間を決定するステップ３０２と、当該期間内に、光電検出アレイにより、貫通孔を通過して入射した光を検出するステップ３０３と、を含む。
【００４１】
本開示の実施例において、複数のサブ画素における、画素アレイが位置する平面における光電検出アレイの正投影内に位置するサブ画素を複数の対象サブ画素として決定する。その後、まず複数の対象サブ画素が発光しない期間を決定し、次に当該期間内に、光電検出アレイにより、貫通孔を通過して入射した光を検出する。当該期間内に複数の対象サブ画素が発光しないため、当該期間内に周囲の外光だけが貫通孔を通過して入射して光電検出アレイによって検出される。このように、当該光電検出アレイが表示パネルにおける表示領域に設けられても、周囲の外光の正確な検出を実現することができ、それに、当該表示パネルにおける、表示領域以外の一部領域に特に穴を設けて光電検出を行う必要はないため、穴が当該表示パネルにおける余分なスペースを占有することを回避し、当該表示パネルでの表示領域の占有面積の制限を回避することができ、端末の画面比率を向上させ、端末の表示性能を向上させ、端末の美しさを向上させることができる。
【００４２】
好ましくは、端末が明るい画面状態にあるとき、複数のサブ画素は、連続した複数の時間周期のうち少なくとも１つの第１の時間周期において発光せず、複数のサブ画素は、当該複数の時間周期のうち当該少なくとも１つの第１の時間周期以外の時間周期において発光し、複数の対象サブ画素が発光しない期間を決定するステップは、端末が明るい画面状態にあるとき、当該複数の時間周期のうち少なくとも１つの第１の時間周期を、複数の対象サブ画素が発光しない期間として決定するステップを含む。
【００４３】
好ましくは、端末が明るい画面状態にあるとき、複数のサブ画素は、連続した複数の時間周期のうちいずれかの時間周期内に順次に発光し、複数の対象サブ画素が発光しない期間を決定するステップは、端末が明るい画面状態にあるとき、当該複数の時間周期のうちいずれかの時間周期における、複数の対象サブ画素を発光させる制御を開始していない期間を、複数の対象サブ画素が発光しない期間として決定するステップを含む。
【００４４】
好ましくは、端末が明るい画面状態にあるとき、複数のサブ画素は、連続した複数の時間周期のうち少なくとも１つの第２の時間周期において発光し、複数の対象サブ画素が発光しない期間を決定するステップは、端末が明るい画面状態にあるとき、当該複数の時間周期のうち少なくとも１つの第２の時間周期における、隣接する２つの第２の時間周期の間の期間を、複数の対象サブ画素が発光しない期間として決定するステップを含む。
【００４５】
上記全ての好ましい技術的解決策は、任意の組み合わせで本開示の好ましい実施例を形成することができ、本開示の実施例は、これについてこれ以上説明を省略する。
【００４６】
図４Ａは、例示的な一実施例に係る光電検出方法のフローチャートである。以下、図４Ａを参照して図３の実施例によって提供される光電検出方法を詳しく説明する。図４Ａに示すように、当該方法は、上記図２Ａ〜図２Ｅにおけるいずれかの表示パネルを搭載した端末に使用され、当該方法は、以下のステップ４０１とステップ４０２とを含む。
【００４７】
ステップ４０１において、複数のサブ画素から複数の対象サブ画素を決定する。
【００４８】
なお、複数の対象サブ画素は、画素アレイが位置する平面における光電検出アレイの正投影内に位置するサブ画素である。
【００４９】
貫通孔が、画素アレイに含まれた複数のサブ画素間の隙間に設けられるため、周囲の外光が貫通孔を通過して入射することができるだけでなく、当該複数のサブ画素よって発された光も当該貫通孔を通過して入射することがある。従って、後に周囲の外光を検出する際に当該複数のサブ画素によって発された光による影響を除去することを容易にするために、先に当該複数のサブ画素における、発した光が当該貫通孔を通過して入射できるサブ画素を決定することができ、つまり、画素アレイが位置する平面における光電検出アレイの正投影内に位置するサブ画素を決定する。
【００５０】
例えば、図４Ｂに示すように、仮に画素アレイが位置する平面における光電検出アレイの正投影が、表示パネルの表示領域における対象領域にあり、つまり、光電検出アレイが対象領域の下方に設けられているとする場合、画素アレイにおける、対象領域に位置するサブ画素が、対象サブ画素として決定される。
【００５１】
ステップ４０２において、複数の対象サブ画素が発光しない期間を決定する。
【００５２】
なお、複数の対象サブ画素によって発された光が貫通孔を通過して端末内に入射して光電検出アレイによって検出されることによって、光電検出アレイが外光を検出する正確さに影響を与えることを回避するために、先に複数の対象サブ画素が発光しない期間を決定して、これにより、後に当該期間に外光を検出することができる。
【００５３】
ここで、ステップ４０２の実現プロセスは、以下の３つの可能な実現形態のうち少なくとも１つの可能な実現形態を含むことができる。
【００５４】
なお、端末が明るい画面状態にあるとき、複数のサブ画素は、連続した複数の時間周期のうち少なくとも１つの第１の時間周期において発光せず、複数のサブ画素は、当該複数の時間周期のうち当該少なくとも１つの第１の時間周期以外の時間周期において発光し、つまり、端末が明るい画面状態にあるとき、端末は、連続した複数の時間周期のうち少なくとも１つの第１の時間周期内に発光するように複数のサブ画素をそれぞれ制御するとともに、当該複数の時間周期のうち当該少なくとも１つの第１の時間周期以外の時間周期内に発光しないように複数のサブ画素をそれぞれ制御することができ、この場合、以下の第１の可能な実現形態により複数の対象サブ画素が発光しない期間を決定することができる。
【００５５】
第１の可能な実現形態は、端末が明るい画面状態にあるとき、当該複数の時間周期のうち少なくとも１つの第１の時間周期を、複数のサブ画素が発光しない期間として決定する。
【００５６】
なお、端末が明るい画面状態にあるとき、複数のサブ画素は、常に発光せず、周期的に発光する。例えば、時間周期の長さが１６．６ｍｓ（ミリ秒）であり、端末が明るい画面状態にあるとき、複数のサブ画素が１６．６ｍｓ連続的に発光した後、発光を停止し、その後再び１６.６ｍｓ連続的に発光した後、発光を停止し、端末が画面消光状態になるまでこのように繰り返すことができる。
【００５７】
また、当該複数の時間周期を予め設定することができ、それに、端末は、当該複数の時間周期内に複数のサブ画素を制御し、つまり、当該複数の時間周期内に端末のパネルにおける表示領域に表示された画像を絶えずにリフレッシュする。ユーザの視聴に影響を与えないために、当該リフレッシュレートは、一定の値より大きくてもよい。つまり、当該複数の時間周期内における各時間周期の長さが、一定の値より小さくてもよい。例えば、リフレッシュレートが３０フレーム/秒より大きい場合、ユーザの視聴に影響を与えることはなく、この場合、端末は、６０フレーム/秒でリフレッシュすることができ、つまり、毎秒に連続した６０個の時間周期が存在し、各時間周期の長さが１６．６ｍｓである。
【００５８】
本開示の実施例において、端末が明るい画面状態にあるとき、連続した複数の時間周期のうち当該少なくとも１つの第１の時間周期以外の時間周期内に周期的に発光するように複数のサブ画素を制御することができるが、当該複数の時間周期のうち当該少なくとも１つの第１の時間周期内に発光しないように複数のサブ画素を制御し、つまり、発光しないように複数の対象サブ画素を制御するため、複数の時間周期のうち少なくとも１つの第１の時間周期を複数の対象サブ画素が発光しない期間として決定することができる。
【００５９】
例えば、６０個の連続した時間周期があり、そのうち２０個の時間周期内に複数のサブ画素が発光せず、当該２０個の時間周期以外の４０個の時間周期内に複数のサブ画素のそれぞれが発光するとする場合、当該２０個の時間周期を複数の対象サブ画素が発光しない期間として決定することができる。
【００６０】
なお、端末が明るい画面状態にあるとき、複数のサブ画素は、連続した複数の時間周期のうちいずれかの時間周期内に順次に発光し、つまり、端末が明るい画面状態にあるとき、端末は、連続した複数の時間周期のうちいずれかの時間周期内に発光するように複数のサブ画素を順次に制御することができ、この場合、以下の第２の可能な実現形態により複数の対象サブ画素が発光しない期間を決定することができる。
【００６１】
第２の可能な実現形態は、端末が明るい画面状態にあるとき、当該複数の時間周期のうちいずれかの時間周期における、複数の対象サブ画素を発光させる制御を開始していない期間を、複数の対象サブ画素が発光しない期間として決定する。
【００６２】
なお、端末が明るい画面状態にあるとき、当該複数の時間周期のうちいずれかの時間周期内に、当該複数のサブ画素の左下隅に位置する第１のサブ画素から、左から右へ、下から上へ発光するように複数のサブ画素を順次に制御し、この順次に制御するプロセスにおいて、発光するように複数のサブ画素をまだ制御していない場合、複数の対象サブ画素は、発光しない。つまり、第１のサブ画素が発光するから複数の対象サブ画素のうちいずれかの対象サブ画素が発光するまで、一定の期間が存在し、当該期間内に複数の対象サブ画素が発光しないため、当該複数の時間周期のうちいずれかの時間周期内における、複数の対象サブ画素を発光させる制御を開始していない期間を、複数の対象サブ画素が発光しない期間として決定することができる。
【００６３】
また、複数の対象サブ画素が発光しない期間が（（Ｌ２-Ｌ１）/Ｌ２）*Ｔであってもよい。ここで、当該複数のサブ画素の左下隅を座標原点とし、当該複数のサブ画素の左右方向を横軸とし、当該複数のサブピ画素の上下方向を縦軸として座標系を構築し、Ｌ１は、複数の対象サブ画素のうち、発光するように制御された最初の対象サブ画素の縦座標であり、Ｌ２は、当該複数のサブ画素のうち、発光するように制御された最後のサブ画素の縦座標であり、Ｔは、当該いずれかの時間周期の長さである。
【００６４】
また、当該複数の時間周期のうちいずれかの時間周期内における、複数の対象サブ画素を発光させる制御を開始していない期間を、複数の対象サブ画素が発光しない期間として決定した場合、当該いずれかの時間周期内における、複数の対象サブ画素を発光させる制御を開始していない期間の一部又は全部を、複数の対象サブ画素が発光しない期間として決定することができる。
【００６５】
なお、当該複数の対象サブ画素ができるだけ当該複数のサブ画素の右上に位置することができ、これにより、当該複数の対象サブ画素を発光させる制御を開始する時間が遅く、複数の対象サブ画素が発光しない期間が長くなるので、後に長い時間内に光電検出を行うことができ、光電検出の正確さが向上する。
【００６６】
ここで、当該複数の時間周期のうちいずれかの時間周期内における、複数の対象サブ画素を発光させる制御を開始していない期間を、複数の対象サブ画素が発光しない期間として決定する実現プロセスは、表示領域を複数の領域に分割し、当該複数の領域における、複数の対象サブ画素が位置する領域を第１の領域として決定し、当該複数の領域における、第１の領域におけるサブ画素を発光させる制御を開始する前に発光するように制御されたサブ画素が位置する領域を第２の領域として決定し、第２の領域における最初のサブ画素を発光させる制御を開始する時間と、第２の領域における最後のサブ画素を発光させる制御を開始するとの間の期間を、複数の対象サブ画素が発光しない期間として決定するプロセスであってもよい。
【００６７】
例えば、図４Ｃに示すように、表示領域は、領域１と、領域２と、領域３と、領域４との４つの領域に分割されており、複数の対象サブ画素が領域４に位置し、端末が明るい画面状態にあるとき、領域１における最初のサブ画素を発光させる制御を開始する時間と、領域３における最後のサブ画素を発光させる制御を開始するとの間の期間を、複数の対象サブ画素が発光しない期間として決定することができる。
【００６８】
なお、端末が明るい画面状態にあるとき、複数のサブ画素は、連続した複数の時間周期のうち少なくとも１つの第２の時間周期において発光する。つまり、端末が明るい画面状態にあるとき、端末は、連続した複数の時間周期のうち少なくとも１つの第２の時間周期において発光するように複数のサブ画素を制御することができ、この場合、以下の第３の可能な実現形態により、複数の対象サブ画素が発光しない期間を決定することができる。
【００６９】
第３の可能な実現形態は、端末が明るい画面状態にあるとき、当該複数の時間周期のうち少なくとも１つの第２の時間周期における隣接する２つの第２の時間周期の間の期間を、複数の対象サブ画素が発光しない期間として決定する。
【００７０】
なお、端末が明るい画面状態にあるとき、端末は、連続した複数の時間周期のうち少なくとも１つの第２の時間周期において発光するように複数のサブ画素を制御することができる。つまり、当該少なくとも１つの第２の時間周期のうちいずれかの第２の時間周期が開始した後、当該複数のサブ画素が発光し、当該第２の時間周期が終了した時、当該複数のサブ画素が発光を停止し、その後、当該少なくとも１つの第２の時間周期のうち、当該第２の時間周期に隣接する次の第２の時間周期が開始した後、当該複数のサブ画素が再び発光し、このとき、当該第２の時間周期における隣接する２つの複数の第２の時間周期の間の期間内に当該複数のサブ画素が発光せず、複数の対象サブ画素も発光しないため、当該時間周期のうち少なくとも１つの第２の時間周期における隣接する２つの第２の時間周期の間の期間を、複数の対象サブ画素が発光しない期間として決定することができる。
【００７１】
ステップ４０３において、当該期間内に、光電検出アレイにより、貫通孔を通過して入射した光を検出する。
【００７２】
なお、当該期間内に、複数の対象サブ画素が発光せず、この場合に貫通孔を通過して入射した後、光電検出アレイによって検出された光は、外光しかなく、つまり、当該期間内に、光電検出アレイにより貫通孔を通過して入射した光を検出し、つまり、光電検出アレイにより外光を検出する。
【００７３】
ここで、ステップ４０３の実現プロセスは、当該期間の開始時間に光電検出アレイに第１の割込み信号を送信して光電検出を行うように光電検出アレイに指示し、当該期間の終了時間に光電検出アレイに第２の割込み信号を送信して光電検出を行うように光電検出アレイに指示するプロセスであってもよい。
【００７４】
なお、第１の割込み信号と第２の割込み信号とのそれぞれは、ハードウェア割込み信号であってもよく、第１の割込み信号は、光電の検出を開始するように光電検出アレイを制御するためのものであり、第２の割込み信号は、光電の検出を中止するように光電検出アレイを制御するためのものである。
【００７５】
本開示の実施例において、複数のサブ画素における、画素アレイが位置する平面における光電検出アレイの正投影内に位置するサブ画素を複数の対象サブ画素として決定する。その後、まず複数の対象サブ画素が発光しない期間を決定し、次に当該期間内に、光電検出アレイにより、貫通孔を通過して入射した光を検出する。当該期間内に複数の対象サブ画素が発光しないため、当該期間内に周囲の外光だけが貫通孔を通過して入射して光電検出アレイによって検出される。このように、当該光電検出アレイが表示パネルにおける表示領域に設けられても、周囲の外光の正確な検出を実現することができ、それに、当該表示パネルにおける、表示領域以外の一部領域に特に穴を設けて光電検出を行う必要はないため、穴が当該表示パネルにおける余分なスペースを占有することを回避し、当該表示パネルでの表示領域の占有面積の制限を回避することができ、端末の画面比率を向上させ、端末の表示性能を向上させ、端末の美しさを向上させることができる。
【００７６】
図５Ａは、例示的な一実施例に係る光電検出装置のブロック図である。図５Ａを参照すると、上記図２Ａ〜図２Ｅにおけるいずれかの表示パネルを搭載した端末に使用される装置は、第１の決定モジュール５０１と、第２の決定モジュール５０２と、検出モジュール５０３と、を含む。
【００７７】
第１の決定モジュール５０１は、複数のサブ画素から、画素アレイが位置する平面における光電検出アレイの正投影内に位置するサブ画素である複数の対象サブ画素を決定するためのものである。第２の決定モジュール５０２は、複数の対象サブ画素が発光しない期間を決定するためのものである。検出モジュール５３は、当該期間内に、光電検出アレイにより、貫通孔を通過して入射した光を検出するためのものである。
【００７８】
好ましくは、端末が明るい画面状態にあるとき、複数のサブ画素は、連続した複数の時間周期のうち少なくとも１つの第１の時間周期において発光せず、複数のサブ画素は、当該複数の時間周期のうち当該少なくとも１つの第１の時間周期以外の時間周期において発光し、図５Ｂを参照すると、第２の決定モジュール５０２は、端末が明るい画面状態にあるとき、当該複数の時間周期のうち少なくとも１つの第１の時間周期を、複数の対象サブ画素が発光しない期間として決定するための第１の決定サブモジュール５０２１を含む。
【００７９】
好ましくは、端末が明るい画面状態にあるとき、複数のサブ画素は、連続した複数の時間周期のうちいずれかの時間周期内に順次に発光し、図５Ｃを参照すると、第２の決定モジュール５０２は、端末が明るい画面状態にあるとき、複数の時間周期のうちいずれかの時間周期における、複数の対象サブ画素を発光させる制御を開始していない期間を、複数の対象サブ画素が発光しない期間として決定するための第２の決定サブモジュール５０２２を含む。
【００８０】
好ましくは、端末が明るい画面状態にあるとき、複数のサブ画素は、連続した複数の時間周期のうち少なくとも１つの第２の時間周期において発光し、図５Ｄを参照すると、第２の決定モジュール５０２は、端末が明るい画面状態にあるとき、当該複数の時間周期のうち少なくとも１つの第２の時間周期における、隣接する２つの第２の時間周期の間の期間を、複数の対象サブ画素が発光しない期間として決定するための第３の決定サブモジュール５０２３を含む。
【００８１】
本開示の実施例において、複数のサブ画素における、画素アレイが位置する平面における光電検出アレイの正投影内に位置するサブ画素を複数の対象サブ画素として決定する。その後、まず複数の対象サブ画素が発光しない期間を決定し、次に当該期間内に、光電検出アレイにより、貫通孔を通過して入射した光を検出する。当該期間内に複数の対象サブ画素が発光しないため、当該期間内に周囲の外光だけが貫通孔を通過して入射して光電検出アレイによって検出される。このように、当該光電検出アレイが表示パネルにおける表示領域に設けられても、周囲の外光の正確な検出を実現することができ、それに、当該表示パネルにおける、表示領域以外の一部領域に特に穴を設けて光電検出を行う必要はないため、穴が当該表示パネルにおける余分なスペースを占有することを回避し、当該表示パネルでの表示領域の占有面積の制限を回避することができ、端末の画面比率を向上させ、端末の表示性能を向上させ、端末の美しさを向上させることができる。
【００８２】
上記実施例における装置に関して、各モジュールが動作を実行する具体的な形態は、当該方法に関する実施例で詳細に説明したので、ここでは詳細な説明を省略する。
【００８３】
図６は、例示的な一実施例に係る光電検出装置６００のブロック図である。例えば、装置６００は、携帯電話、コンピュータ、デジタル放送端末、メッセージングデバイス、ゲームコンソール、タブレットデバイス、医療機器、フィットネス機器、パーソナルデジタルアシスタントなどであってもよい。
【００８４】
図６を参照すると、装置６００は、処理ユニット６０２、メモリ６０４、電源ユニット６０６、マルチメディアユニット６０8、オーディオユニット６１０、入力/出力（Ｉ/Ｏ）インターフェイス６１２、センサユニット６１４、及び通信ユニット６１６の１つ又は複数を含むことができる。
【００８５】
処理ユニット６０２は、通常、表示、電話呼び出し、データ通信、カメラ動作、および記録動作に関連する動作などの装置６００の全体的な動作を制御する。処理ユニット６０２は、上記方法のステップの全部または一部を実行するための命令を実行する１つまたは複数のプロセッサ６２０を含むことができる。さらに、処理ユニット６０２は、ユニット６０２と他のユニットとのインタラクションを容易にするために、１つまたは複数のモジュールを含むことができる。例えば、処理ユニット６０２は、マルチメディアユニット６０８と処理ユニット６０２とのインタラクションを容易にするために、マルチメディアモジュールを含むことができる。
【００８６】
メモリ６０４は、デバイス６００での動作をサポートするために様々なタイプのデータを記憶するように構成される。これらのデータの例は、デバイス６００上で動作する任意のアプリケーション又は方法の命令、連絡先データ、電話帳データ、メッセージ、写真、ビデオなどを含む。メモリ６０４は、スタティック・ランダム・アクセス・メモリ（ＳＲＡＭ）、電気的消去可能プログラマブル読み出し専用メモリ（ＥＥＰＲＯＭ）、消去可能プログラマブル読み出し専用メモリ（ＥＥＰＲＯＭ）、プログラマブル読み出し専用メモリ（ＰＲＯＭ）、読み出し専用メモリ（ＲＯＭ）、磁気メモリ、フラッシュメモリ、ディスク又はＣＤのような任意のタイプの揮発性又は不揮発性記憶装置、又はそれらの組み合わせよって実現することができる。
【００８７】
電源ユニット６０６は、装置６００の様々なユニットに電源を供給する。電源ユニット６０６は、電源管理システム、１つ又は複数の電源、及び装置６００の電源の生成、管理、及び分配に関連する他のユニットを含むことができる。
【００８８】
マルチメディアユニット６０８は、出力インタフェースを提供する、装置６００とユーザとの間のスクリーンを含む。一部の実施例では、スクリーンは、液晶ディスプレイ（ＬＣＤ）とタッチパネル（ＴＰ）とを含むことができる。画面がタッチパネルを含む場合、画面は、ユーザからの入力信号を受信するためのタッチスクリーンとして実現することができる。タッチパネルは、タッチ、スライド及びタッチパネル上のジェスチャを感知するための１つまたは複数のタッチセンサを含む。前記タッチセンサは、タッチ又はスライド動作の境界を感知するだけでなく、前記タッチ又はスライド動作に関連する持続時間及び圧力も検出することができる。一部の実施例では、マルチメディアユニット６０8は、フロントカメラおよび/またはリアカメラを含む。装置６００が撮影モード又はビデオモードのような動作モードにあるとき、フロントカメラおよび/またはリアカメラは、外部のマルチメディアデータを受信することができる。各フロントカメラ及びリアカメラは、固定光学レンズシステムであってもよいし、焦点距離及び光学ズーム能力を有してもよい。
【００８９】
オーディオユニット６１０は、オーディオ信号を出力および/または入力するように構成される。例えば、オーディオユニット６１０は、１つのマイクロフォン（ＭＩＣ）を含み、装置６００が、呼び出しモード、記録モード、及び音声認識モードなどの動作モードにあるとき、マイクロフォンが外部オーディオ信号を受信するように構成される。受信されたオーディオ信号は、メモリ６０４にさらに記憶されてもよいし、又は通信ユニット６１６を介して送信されてもよい。一部の実施例では、オーディオユニット６１０は、オーディオ信号を出力するためのスピーカをさらに含む。
【００９０】
Ｉ/Ｏインターフェース６１２は、処理ユニット６０２と周辺機器インターフェースモジュールとの間のインターフェースを提供し、上記周辺機器インターフェースモジュールは、キーボード、クリックホイール、ボタンなどであってもよい。これらのボタンは、ホームボタン、音量ボタン、開始ボタン、及びロックボタンを含むことができるが、これらに限定されない。
【００９１】
センサユニット６１４は、各方面の状態評価を装置６００に提供するための１つ又は複数のセンサを含む。例えば、センサアセンブリ６１４は、装置６００の開閉状態、装置６００のディスプレイ及びキーパッドなどのユニットの相対的な位置決めを検出することができるとともに、センサユニット６１４は、装置６００又は装置６００の１つのユニットの位置の変化、ユーザと装置６００との接触の有無、装置６００の向き又は加速/減速、及び装置６００の温度変化を検出することもできる。センサユニット６１４は、物理的接触なしで近くの物体の存在を検出するように構成された近接センサを含むことができる。センサユニット６１４は、イメージング用途に使用するためのＣＭＯＳ又はＣＣＤイメージセンサなどの光センサを含むことができる。一部の実施例では、当該センサユニット６１４は、加速度センサ、ジャイロセンサ、磁気センサ、圧力センサ、又は温度センサをさらに含むことができる。
【００９２】
通信ユニット６１６は、装置６００と他の装置との間の有線又は無線通信を容易にするように構成される。装置６００は、通信規格に基づいた無線ネットワーク、例えば、ＷＩＦＩ、２Ｇ又は３Ｇ、又はそれらの組み合わせにアクセスすることができる。例示的な一実施例では、通信ユニット６１６は、ブロードキャストチャネルを介して外部ブロードキャスト管理システムからのブロードキャスト信号又はブロードキャスト関連情報を受信する。例示的な一実施例では、前記通信ユニット６１６は、近距離通信を促進する近距離通信（ＮＦＣ）モジュールをさらに含む。例えば、ＮＦＣモジュールは、無線周波数識別（ＲＦＩＤ）技術、赤外線データアソシエーション（ＩＲＤＡ）技術、超広帯域（ＵＷＢ）技術、ブルートゥース（ＢＴ、登録商標）技術、及び他の技術に基づいて実現することができる。
【００９３】
例示的な実施例では、装置６００は、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子デバイスによって実現することができ、上記図３又は図４Ａに示す実施例によって提供される方法を実行するために使用される。
【００９４】
例示的な実施例において、命令を含む非一時的なコンピュータ読み取り可能な記憶媒体がさらに提供され、例えば、命令を含むメモリ６０４、上記命令は、装置６００のプロセッサ６２０によって実行されて方法を完成する。例えば、非一時的なコンピュータ読み取り可能な記憶媒体は、ＲＯＭ、ランダムアクセスメモリ（ＲＡＭ）、ＣＤ-ＲＯＭ、カセットテープ、フロッピーディスク、及び光データ記憶装置であってもよい。
【００９５】
非一時的なコンピュータ読み取り可能な記憶媒体であって、当該記憶媒体における命令が端末のプロセッサによって実行されるとき、端末が上記図２Ａ〜２Ｅにおけるいずれかの表示パネルに使用される光電検出方法を実行することができる。当該方法は、複数のサブ画素から、画素アレイが位置する平面における光電検出アレイの正投影内に位置するサブ画素である複数の対象サブ画素を決定するステップと、複数の対象サブ画素が発光しない期間を決定するステップと、当該期間内に、光電検出アレイにより、貫通孔を通過して入射した光を検出するステップと、を含む。
【００９６】
好ましくは、端末が明るい画面状態にあるとき、複数のサブ画素は、連続した複数の時間周期のうち少なくとも１つの第１の時間周期において発光せず、複数のサブ画素は、当該複数の時間周期のうち当該少なくとも１つの第１の時間周期以外の時間周期において発光し、複数の対象サブ画素が発光しない期間を決定するステップは、端末が明るい画面状態にあるとき、当該複数の時間周期のうち少なくとも１つの第１の時間周期を、複数の対象サブ画素が発光しない期間として決定するステップを含む。
【００９７】
好ましくは、端末が明るい画面状態にあるとき、複数のサブ画素は、連続した複数の時間周期のうちいずれかの時間周期内に順次に発光し、複数の対象サブ画素が発光しない期間を決定するステップは、端末が明るい画面状態にあるとき、当該複数の時間周期のうちいずれかの時間周期における、複数の対象サブ画素を発光させる制御を開始していない期間を、複数の対象サブ画素が発光しない期間として決定するステップを含む。
【００９８】
好ましくは、端末が明るい画面状態にあるとき、複数のサブ画素は、連続した複数の時間周期のうち少なくとも１つの第２の時間周期において発光し、複数の対象サブ画素が発光しない期間を決定するステップは、端末が明るい画面状態にあるとき、当該複数の時間周期のうち少なくとも１つの第２の時間周期における、隣接する２つの第２の時間周期の間の期間を、複数の対象サブ画素が発光しない期間として決定するステップを含む。
【００９９】
本開示の実施例において、複数のサブ画素における、画素アレイが位置する平面における光電検出アレイの正投影内に位置するサブ画素を複数の対象サブ画素として決定する。その後、まず複数の対象サブ画素が発光しない期間を決定し、次に当該期間内に、光電検出アレイにより、貫通孔を通過して入射した光を検出する。当該期間内に複数の対象サブ画素が発光しないため、当該期間内に外周囲の光だけが貫通孔を通過して入射して光電検出アレイによって検出される。このように、当該光電検出アレイが表示パネルにおける表示領域に設けられても、周囲の外光の正確な検出を実現することができ、それに、当該表示パネルにおける、表示領域以外の一部領域に特に穴を設けて光電検出を行う必要はないため、穴が当該表示パネルにおける余分なスペースを占有することを回避し、当該表示パネルでの表示領域の占有面積の制限を回避することができ、端末の画面比率を向上させ、端末の表示性能を向上させ、端末の美しさを向上させることができる。
【０１００】
当業者は、明細書を考慮してここで開示される発明を実施した後、本発明の他の実施案を容易に想到することができる。本出願は、本発明のいかなる変形、用途又は適宜な変化を含むことを主旨とし、これらの変形、用途又は適宜な変化は、本発明の一般的な原理に従るとともに、本開示で開示されていない当分野の公知常識又は慣用技術手段を含む。明細書及び実施例は、例示するものに過ぎなく、本発明の本当な範囲及び主旨は、以下の請求の範囲によって示される。
【０１０１】
なお、本発明は、上記説明に記載され、図面に示されている厳密な構成に限定されず、その範囲から逸脱しない限り、様々な修正及び変更を行うことができる。本開示の範囲は、添付の特許請求の範囲のみによって限定される。
【図１】
0006837079.tif 000002
【図２Ａ】
0006837079.tif 000003
【図２Ｂ】
0006837079.tif 000004
【図２Ｃ】
0006837079.tif 000005
【図２Ｄ】
0006837079.tif 000006
【図２Ｅ】
0006837079.tif 000007
【図３】
0006837079.tif 000008
【図４Ａ】
0006837079.tif 000009
【図４Ｂ】
0006837079.tif 000010
【図４Ｃ】
0006837079.tif 000011
【図５Ａ】
0006837079.tif 000012
【図５Ｂ】
0006837079.tif 000013
【図５Ｃ】
0006837079.tif 000014
【図５Ｄ】
0006837079.tif 000015
【図６】
0006837079.tif 000016